(57)【要約】【課題】録音した音声信号の再生中に、その音声信号の送り元又は送り先を送信先として設定し、信号を送信する。【解決手段】記録媒体７は、送り元コールサインと無線部ヘッダ情報を含むチャプタデータを付与した音声データを記録しており、制御部１は、音声データの再生中にＰＴＴスイッチ１０が押されると、再生位置に対応するチャプタデータから送り元コールサインを取得し、送り元コールサインを送信先として設定し、信号を送信する。無線部ヘッダ情報に含まれる送り先のコールサイン（ＵＲ）が信号の送信先として設定できるときは、送り元コールサインとＵＲとを選択可能に表示し、選択されたコールサインにダイレクトリプライする。【選択図】図２
2020123801.tif 000002
【特許請求の範囲】
【請求項１】
無線部ヘッダとデータとで構成される信号を受信する受信部と、
前記データから抽出した音声データと前記無線部ヘッダから取得した管理情報とを関連付けて記録する記録部と、
前記記録部に記録された前記音声データを再生するとともに、当該音声データに関連付けられた前記管理情報が含む送り元情報と送り先情報の少なくともいずれかを選択可能な状態で表示する再生部と、
選択された前記送り元情報と前記送り先情報のいずれかを送信先として設定した送信信号を生成する制御部と、
前記送信信号を送信する送信部と、を備える
ことを特徴とする無線通信装置。
【請求項２】
前記制御部は、前記送り先情報が自局の場合、前記送り元情報を送信先として設定する
ことを特徴とする請求項１に記載の無線通信装置。
【請求項３】
前記管理情報は、経路情報を含み、
前記送信部は、前記経路情報に基づいて経路を設定する
ことを特徴とする請求項１又は２に記載の無線通信装置。
【請求項４】
前記データは、前記無線部ヘッダの再送情報を含む再送ヘッダを含み、
前記記録部は、前記再送ヘッダから前記管理情報を抽出して記録する
ことを特徴とする請求項１から３のいずれか一項に記載の無線通信装置。
【請求項５】
無線部ヘッダとデータとで構成される信号を受信する処理と、
前記データから抽出した音声データと前記無線部ヘッダから取得した管理情報とを関連付けて記録部に記憶する処理と、
前記記録部に記録された前記音声データを再生する処理と、
再生中の前記音声データに関連付けられた前記管理情報から送り元情報と送り先情報の少なくともいずれかを選択可能な状態で表示する処理と、
選択された前記送り元情報と前記送り先情報のいずれかを送信先として設定し、信号を送信する処理と、
をコンピュータに実行させるプログラム。
【発明の詳細な説明】
【技術分野】
【０００１】
本発明は、受信した音声信号を記録再生する機能を有する無線通信装置に関する。
【背景技術】
【０００２】
特許文献１の無線通信装置は、信号を受信した時刻と信号に含まれる情報から時刻情報を含む受信履歴を実現している。受信履歴から受信時刻、送り元、及び送り先を確認できるため、離席中に受信した信号の送り元又は送り先と通信を行うことができる。
【０００３】
特許文献２の無線通信装置は、受信した信号に含まれる音声を録音再生する機能を備えている。
【先行技術文献】
【特許文献】
【０００４】
【特許文献１】特開２０１２−０４４５１２号公報
【特許文献２】特開２０１６−０８０８７２号公報
【発明の概要】
【発明が解決しようとする課題】
【０００５】
他者間の通信を傍受して録音した音声を再生中に、その音声の送り元又は送り先と通信しようとすると、再生した内容から送り元又は送り先の情報を推測し、無線通信装置の送信設定を変更する必要がある。また、先行技術文献に記載された技術では、録音した音声を再生中に、その音声の送り元と通信しようとすると、音声を録音した時刻における受信履歴を確認して送り元の情報を取得し、無線通信装置の送信設定を変更する必要がある。そのため、音声の再生中、容易にその音声に対して呼び返すことができなかった。
【０００６】
本発明は、上記に鑑みてなされたものであり、録音した音声信号の再生中に、その音声信号の送り元又は送り先を送信先として設定し、信号を送信することを目的とする。
【課題を解決するための手段】
【０００７】
本発明に係る無線通信装置は、無線部ヘッダとデータとで構成される信号を受信する受信部と、前記データから抽出した音声データと前記無線部ヘッダから取得した管理情報とを関連付けて記録する記録部と、前記記録部に記録された前記音声データを再生するとともに、当該音声データに関連付けられた前記管理情報が含む送り元情報と送り先情報の少なくともいずれかを選択可能な状態で表示する再生部と、選択された前記送り元情報と前記送り先情報のいずれかを送信先として設定した送信信号を生成する制御部と、前記送信信号を送信する送信部と、を備えることを特徴とする。
【発明の効果】
【０００８】
本発明によれば、録音した音声信号の再生中に、その音声信号の送り元又は送り先を送信先として設定し、信号を送信することができる。
【図面の簡単な説明】
【０００９】
【図１】一実施形態の無線通信装置の全体的な構成を示すブロック図である。
【図２】制御部の具体的な内部構成例を示す機能ブロック図である。
【図３】送り元コールサインが変化したタイミングで音声データに付加するチャプタを概念的に示す図である。
【図４】Ｄ−ＳＴＡＲフレームの構成を示す図である。
【図５】音声データにチャプタを付加する処理の流れを示すフローチャートである。
【図６】ＷＡＶフォーマットにおけるリストチャンクの構成を示す図である。
【図７】リストチャンクに含まれるチャプタデータの構成例を示す図である。
【図８】リストチャンクの具体的な例を示す図である。
【図９】音声ファイルのリストチャンクからチャプタデータを読み出す処理の流れを示すフローチャートである。
【図１０】音声データ再生中にダイレクトリプライする処理の流れを示すフローチャートである。
【図１１】音声データ再生中に表示する表示画面の例を示す図である。
【図１２】経路情報が書き換えられる通信環境の例を示す全体構成図である。
【図１３Ａ】無線部ヘッダの書き換えを説明する図である。
【図１３Ｂ】無線部ヘッダの書き換えを説明する図である。
【発明を実施するための形態】
【００１０】
以下、一実施形態の無線通信装置について図面を用いて説明する。まず、図１を用いて、本実施形態の無線通信装置１００の全体的な構成及び動作を説明する。
【００１１】
図１において、制御部１は、無線通信装置１００の全体を制御する。制御部１は、マイクロコンピュータ又は中央処理装置（ＣＰＵ）によって構成することができる。制御部１は、送受信部２が接続されている。制御部１と送受信部２との間には、デジタルシグナルプロセッサ（ＤＳＰ）３が設けられている。
【００１２】
送受信部２は、送信部と受信部とが一体的に構成された回路ブロックである。送信部と受信部とが別々に構成されていてもよい。送受信部２には、電波を送受信するためのアンテナ４が接続されている。
【００１３】
送受信部２は、自己の無線通信装置１００（自局）と、他の無線通信装置（相手局）との間で、半二重通信方式で信号を送信又は受信する。変調方式は、アナログ変調であってもよいし、デジタル変調であってもよい。自局と相手局との間で送受信されるデジタル変調信号及びアナログ変調信号には、音声信号以外の制御データや各種の付加情報が含まれていることがある。送受信部２は、受信信号がデジタル変調信号である場合、デジタル変調信号から受信デジタルデータを復調し、復調した受信デジタルデータをＤＳＰ３に出力する。送受信部２は、受信信号がアナログ変調信号である場合、アナログ変調信号から音声信号を復調し、復調した音声信号を制御部１に出力する。
【００１４】
ＤＳＰ３は、受信デジタルデータから制御データ及び各種の付加情報のデータを復号して制御部１に出力する。また、ＤＳＰ３は、受信デジタルデータから音声データを復号してＤ／Ａ変換し、Ｄ／Ａ変換で得られた音声信号を制御部１に出力する。
【００１５】
ＤＳＰ３には、マイクロホン５が接続されている。マイクロホン５は、無線通信装置１００のユーザが発した音声を収音して音声信号に変換し、音声信号をＤＳＰ３に供給する。
【００１６】
ＤＳＰ３は、入力された音声信号をＡ／Ｄ変換した後、送信デジタルデータに符号化し、送受信部２に出力する。送受信部２は、送信デジタルデータをデジタル変調信号に変調し、アンテナ４から送出する。
【００１７】
送受信部２がアナログ音声信号を送信する場合には、マイクロホン５より出力される音声信号を送受信部２に供給すればよい。送受信部２は、音声信号を変調してアンテナ４から送出する。
【００１８】
制御部１には、不揮発性メモリ６、記録媒体７、スピーカ８、ディスプレイ９、プッシュ・トゥ・トーク（ＰＴＴ）スイッチ１０、操作部１１、及び全地球航法衛星システム（ＧＮＳＳ）モジュール１２が接続されている。
【００１９】
不揮発性メモリ６は、無線通信装置１００における各種の設定状態を記憶する。不揮発性メモリ６は、例えば、Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ（ＥＥＰＲＯＭ）である。
【００２０】
制御部１は、ＤＳＰ３から供給された音声信号をスピーカ８に供給する。スピーカ８は、入力された音声信号を電気音響変換して発音させる。
【００２１】
制御部１は、ＤＳＰ３から供給された音声信号をデジタル音声信号に変換し、所定の形式の音声ファイルとして、記録媒体７に記録させることができる。記録媒体７は、無線通信装置１００に内蔵されている記録媒体であってもよいし、無線通信装置１００に対して着脱自在の記録媒体であってもよい。記録媒体７は、一例としてフラッシュメモリによって構成されたメモリカードである。
【００２２】
制御部１は、記録媒体７から音声ファイルを読み出し、音声ファイルに含まれる音声データを再生することができる。具体的には、制御部１は、音声ファイルに含まれるデジタル音声信号をアナログ音声信号に変換して、スピーカ８に供給する。
【００２３】
制御部１は、ディスプレイ９に各種の情報を表示させることができる。本実施形態に関連する画面表示としては、制御部１は、再生中の音声データに付加されたチャプタに関する情報をディスプレイ９に表示させる。
【００２４】
ユーザが発話して音声信号を送信するとき、ユーザはＰＴＴスイッチ１０を押す。ＰＴＴスイッチ１０が押されていないＰＴＴオフの状態では、ＰＴＴスイッチ１０はハイの電圧を制御部１に供給する。ＰＴＴスイッチ１０が押されたＰＴＴオンの状態では、ＰＴＴスイッチ１０はローの電圧を制御部１に供給する。制御部１は、ＰＴＴスイッチ１０からの電圧のローとハイとを識別することによって、ＰＴＴオンとＰＴＴオフの状態を判別することができる。
【００２５】
記録媒体７に記録された音声データを再生中にＰＴＴスイッチ１０が押されると、制御部１は、再生中の音声データに付加されたチャプタに基づいて送信設定を一時的に変更し、音声データの送り元又は送り先を送信先として信号を送信する。以下、簡単な操作で送信設定を一時的に変更し、受信信号の送り元又は送り先に対して呼び返す機能をダイレクトリプライと称する。例えば、ダイレクトリプライ時、制御部１は、受信信号の送り元を信号の送り先に設定し、信号を送信する。制御部１は、中継局を介して受信した受信信号の送り先については中継局の設定を行う。
【００２６】
操作部１１は、例えば、各種の操作キー、クリックエンコーダ、アナログボリュームを含む。ここでは、操作部１１を１つのブロックとして記載しているが、操作キー、クリックエンコーダ、アナログボリュームは互いに異なる位置に設けられていてもよい。本実施形態に関連する操作としては、操作部１１は、再生中の音声データに対するダイレクトリプライの相手を選択する際に用いられる。具体的には、操作部１１は、音声データの送り元又は送り先のいずれをダイレクトリプライの相手とするか選択する際に用いられる。
【００２７】
ＧＮＳＳモジュール１２は、全地球航法衛星システム用の衛星からの電波を受信するアンテナと、アンテナが出力するＧＮＳＳ信号を受信する受信部とを含む。ＧＮＳＳは、一例として全地球測位システム（ＧＰＳ）である。
【００２８】
ＧＮＳＳモジュール１２は、無線通信装置１００が位置する場所の位置情報を取得して、制御部１に供給する。ＧＮＳＳモジュール１２は、自局の位置情報を取得する位置情報取得部である。ＤＳＰ３は、付加情報として位置情報を示すデータを付加して、送受信部２に供給することができる。送受信部２は、音声信号を送信する際に、自局の位置情報を示すデータを併せて送信する場合がある。
【００２９】
図１において、白抜きの矢印は、構成要素間を接続するバスを示している。バスの代わりに通常の信号接続線を用いる場合があってもよい。
【００３０】
図２を用いて、制御部１の具体的な内部構成を説明する。図２に示すように、制御部１は、デジタル信号検出部１０１、チャプタ生成部１０２、受信音声変換部１０３、録音データ生成部１０４、記録再生制御部１０５、音声信号抽出部１０６、音声出力制御部１０７、付加情報抽出部１０８、表示制御部１０９、およびＰＴＴ操作検出部１１０を有する。制御部１が備える各部は、演算処理装置、記憶装置等を備えたコンピュータにより構成して、各部の処理がプログラムによって実行されるものとしてもよい。このプログラムは磁気ディスク、光ディスク、半導体メモリ等の記録媒体に記録することも、ネットワークを通して提供することも可能である。
【００３１】
デジタル信号検出部１０１は、ＤＳＰ３から供給された付加情報から無線部ヘッダを検出して、チャプタ生成部１０２に供給する。無線部ヘッダは、受信信号の送り元の中継局コールサイン（Ｒ１）、送り先の中継局コールサイン（Ｒ２）、送り元コールサイン、及び送り先のコールサイン（ＵＲ）を含む。送り元コールサインは、受信信号の送り元を示すコールサインである。
【００３２】
チャプタ生成部１０２は、音声データに付加するチャプタを生成して、録音データ生成部１０４に供給する。チャプタは、音声データの区切りを示す情報である。本実施形態では、チャプタ生成部１０２は、音声データの送り元コールサインが変化したタイミングを示すチャプタを生成する。チャプタ生成部１０２は、例えば受信信号の状態が変化したタイミングを示すチャプタなどの別の種類のタイミングを示すチャプタを生成してもよい。別の種類のチャプタに関する説明は省略する。
【００３３】
受信音声変換部１０３は、Ａ／Ｄ変換機能により音声信号をデジタルの音声データに変換し、音声データを録音データ生成部１０４に供給する。
【００３４】
録音データ生成部１０４は、音声データにチャプタを付加して、記録媒体７に記録する音声ファイルを生成する。
【００３５】
記録再生制御部１０５は、録音データ生成部１０４が生成した音声ファイルを記録媒体７に記録する。また、記録再生制御部１０５は、記録媒体７に記録されている音声ファイルを読み出し、音声ファイルに含まれる音声データを再生するように音声信号抽出部１０６及び音声出力制御部１０７を制御するとともに、音声データに付加した付加情報に基づく画面を表示するように付加情報抽出部１０８及び表示制御部１０９を制御する。さらに、記録再生制御部１０５は、音声データを再生中にＰＴＴスイッチ１０が押されたときは、音声データの再生を中断し、音声データの送り元又は送り先を信号の送信先と設定し、マイクロホン５に入力されたユーザの発した音声等を含む信号を送信するように無線通信装置１００を制御する。
【００３６】
音声信号抽出部１０６は、音声ファイルから再生位置の音声データを抽出し、音声出力制御部１０７に供給する。
【００３７】
音声出力制御部１０７は、音声データに対してＤ／Ａ変換等の信号処理を施し、スピーカ８より発音させる。
【００３８】
付加情報抽出部１０８は、音声ファイルからチャプタに関する情報を抽出する。
【００３９】
表示制御部１０９は、再生中のチャプタに関する情報に基づいて画面を生成し、ディスプレイ９に表示させる。音声データの再生位置が新たなチャプタに変わったとき、表示制御部１０９は、新たなチャプタに関する情報に基づいて画面を更新する。
【００４０】
ＰＴＴ操作検出部１１０は、ＰＴＴスイッチ１０の押下状態を検出する。
【００４１】
次に、音声データに付加するチャプタについて説明する。
【００４２】
図３は、音声データにチャプタを付加する例を示す図である。図３の例では、送り元コールサインが切り替わったタイミングでチャプタＣ１〜Ｃ５を音声データに付加している。この音声データは、受信信号から抽出されて、記録媒体７に記録された音声データである。
【００４３】
各チャプタＣ１〜Ｃ５は、音声データを含む受信信号の送り元又は送り先に対して呼び返しができるように、受信信号の送り元、送り先、及び中継された経路を示す経路情報などの管理情報を含む。経路情報は、中継局の情報を意味するが、その詳細は後述するアシスト局、レピータ局、ゲートウェイの情報が含まれる。具体的には、チャプタは、チャプタが付加されたタイミングを示す音声データ上での位置（アドレス）、送り元のコールサイン、送り元の中継局コールサイン、送り先の中継局コールサイン、及び送り先のコールサインを含む。以下、チャプタのデータをチャプタデータと称する。チャプタデータが含む管理情報は、受信信号の無線部ヘッダから取得できる。
【００４４】
無線通信の規格において、無線部ヘッダ内での各種コールサインを示す文字列の位置は決められている。無線通信の規格は、一例として、日本アマチュア無線連盟が規格化したＤ−ＳＴＡＲがある。もちろん、無線通信の規格はＤ−ＳＴＡＲに限定されない。
【００４５】
図４に示すように、Ｄ−ＳＴＡＲで用いられるＤ−ＳＴＡＲフレームは、無線部ヘッダとデータで構成される。無線部ヘッダは、ビット同期、フレーム同期、フラグ１−３、ＩＤ、及びＰ＿ＦＣＳからなる。ビット同期は、ビットのタイミングを取るための同期信号である。フレーム同期は、Ｄ−ＳＴＡＲフレームの開始点を知るための同期信号である。フラグ１−３には、送信するデータの区別等の情報がセットされる。ＩＤは、送り先中継局コールサイン、送り元中継局コールサイン、送り先コールサイン、及び送り元コールサインを含む。Ｐ＿ＦＣＳは、フラグ１−３とＩＤに対するエラーチェック用の巡回冗長検査（ＣＲＣ）である。無線部ヘッダのうち、フラグ１−３、ＩＤ、及びＰ＿ＦＣＳは、雑音に対してエラー検出及び訂正ができるように、誤り訂正符号が付与され、インターリーブ処理が施される。
【００４６】
データは、音声セグメントとデータセグメントを交互に含む。データは、最後にラストフレームを含む。音声セグメントは、音声が圧縮された音声データを含む。データセグメントは、通信データを含む。データセグメントには、１個目と２１個目毎に再同期のための再同期信号が挿入される。
【００４７】
制御部１は、無線部ヘッダの送り元コールサインを検出するとともに、送り先中継局コールサイン（Ｒ２）、送り元中継局コールサイン（Ｒ１）、及び送り先コールサイン（ＵＲ）を無線部ヘッダ情報として検出する。
【００４８】
図５に示すフローチャートを用いて、制御部１が音声データにチャプタを付加する処理を説明する。
【００４９】
制御部１は、操作部１１によって録音開始の指示がなされたか否かを判定する（ステップＳ１０１）。録音開始の指示がなされなければ、制御部１は、ステップＳ１０１の処理を繰り返す。
【００５０】
録音開始の指示がなされた場合、制御部１は、受信信号のデータに含まれる音声データの録音を開始する（ステップＳ１０２）。
【００５１】
制御部１は、無線部ヘッダの送り元コールサインを取得する（ステップＳ１０３）。
【００５２】
制御部１は、送り元コールサインが変わったか否かを判定する（ステップＳ１０４）。例えば、受信信号の送り元の無線通信装置が変わると送り元コールサインが変わる。送り元コールサインが変わっていなければ、制御部１は、ステップＳ１０７に処理を進める。
【００５３】
送り元コールサインが変わっている場合、制御部１は、受信信号から無線部ヘッダ情報を取得し（ステップＳ１０５）、送り元コールサインが変わったときの録音位置に、送り元コールサインと無線部ヘッダ情報を含むチャプタを付加する（ステップＳ１０６）。
【００５４】
制御部１は、操作部１１によって録音停止の指示がなされたか否かを判定する（ステップＳ１０７）。録音開始の指示がなされなければ、制御部１は、音声データの録音を続け、ステップＳ１０３に処理を進める。
【００５５】
録音停止の指示がなされた場合、制御部１は、音声データの録音を停止する（ステップＳ１０８）。録音された音声データは、付加されたチャプタとともに記録媒体７に音声ファイルとして記録される。
【００５６】
ここで、記録媒体７に記録する本実施形態の音声ファイルについて説明する。
【００５７】
本実施形態では、音声ファイルのファイル形式をＷＡＶフォーマットとし、ＷＡＶフォーマットで規定されている関連データリストチャンク（Ａｓｓｏｃｉａｔｅｄ  Ｄａｔａ  Ｌｉｓｔ  Ｃｈｕｎｋ）にチャプタデータを含ませる。音声ファイルのファイル形式はＷＡＶフォーマットに限定されるものではない。
【００５８】
図６に示すように、リストチャンクは、チャンクＩＤ、チャンクデータサイズ、タイプＩＤ、及びリスト領域（Ｌｉｓｔ  ｏｆ  Ｔｅｘｔ  Ｌａｂｅｌｓ  ａｎｄ  Ｎａｍｅｓ）を含む。チャンクＩＤには“ｌｉｓｔ”の文字列が入る。チャンクデータサイズにはリスト領域のサイズが入る。タイプＩＤには“ａｄｔｌ”の文字列が入る。リスト領域には、リストチャンクの実体、つまりチャプタデータが入る。
【００５９】
チャプタデータは、例えば、図７に示すように、４バイトのチャプタアドレス、８バイトの送り元コールサイン、及び２４バイトの無線部ヘッダ情報で構成する。チャプタアドレスは、チャプタを付加した音声データ上での位置を示す情報である。
【００６０】
図８を用いて、リストチャンクの具体例を説明する。図８の１つの区画は１バイトのデータである。図８の先頭の４バイトはチャンクＩＤ、その次の４バイトはチャンクデータサイズ、さらにその次の４バイトはタイプＩＤである。タイプＩＤより後がリスト領域であり、チャプタアドレスから始まる３６バイトのチャプタデータが記録される。図８の例では、３つのチャプタデータが記録されている。
【００６１】
図８では、理解しやすいようにチャプタデータの先頭のチャプタアドレスにハッチングを付している。最初のチャプタのチャプタアドレスは０ｘ００４０００００、送り元コールサインは“Ｊ００１”、無線部ヘッダ情報のＲ１は“Ｊ＊＊ＹＹＹＡ”、Ｒ２は“Ｊ＊＊ＹＹＹＡ”、ＵＲは“ＣＱＣＱＣＱ”である。次のチャプタのチャプタアドレスは０ｘ００５０００００、送り元コールサインは“Ｋ００１”、無線部ヘッダ情報のＲ１は“Ｊ＊＊ＹＹＹＡ”、Ｒ２は“Ｊ＊＊ＹＹＹＡ”、ＵＲは“Ｊ＊＊ＫＫＫ”である。さらに次のチャプタのチャプタアドレスは０ｘ００６０００００、送り元コールサインは“Ａ００１”、無線部ヘッダ情報のＲ１は“Ｊ＊＊ＹＹＹＡ”、Ｒ２は“Ｊ＊＊ＺＺＺＡ”、ＵＲは“ＣＱＣＱＣＱ”である。
【００６２】
複数種類のチャプタを含む場合、チャプタデータに、チャプタの種類を示すチャプタタイプを含めてもよい。
【００６３】
図９を用いて、音声ファイルのリストチャンクからチャプタデータを読み出す処理について説明する。
【００６４】
制御部１は、音声ファイルから音声データに付加されたチャンクを取得し、チャンクのチャンクＩＤが“ｌｉｓｔ”であるか否か判定する（ステップＳ２０１）。チャンクＩＤが“ｌｉｓｔ”でなければ、制御部１は処理を終了する。
【００６５】
制御部１は、リストチャンクのデータを制御部１の保持するＲＡＭに展開し（ステップＳ２０２）、ＲＡＭに展開したデータからチャンクデータサイズを取得する（ステップＳ２０３）。
【００６６】
制御部１は、タイプＩＤが“ａｄｔｌ”であるか否か判定する（ステップＳ２０４）。タイプＩＤが“ａｄｔｌ”でなければ、制御部１は処理を終了する。
【００６７】
制御部１は、データの読み出し位置をリスト領域の先頭に進め、チャンクデータサイズ内で、以下のステップＳ２０５〜Ｓ２０７の処理を繰り返し実行する。
【００６８】
制御部１は、チャプタアドレスを取得し、データの読み出し位置を４バイト進める（ステップＳ２０５）。
【００６９】
制御部１は、送り元コールサインを取得し、データの読み出し位置を８バイト進める（ステップＳ２０６）。
【００７０】
制御部１は、無線部ヘッダ情報を取得し、データの読み出し位置を２４バイト進める（ステップＳ２０７）。
【００７１】
制御部１は、上記ステップＳ２０５〜Ｓ２０７の一連の処理で、１つのチャプタデータを取得する。
【００７２】
データの読み出し位置がチャンクデータサイズ内であれば、制御部１は、ステップＳ２０５に処理を進めて、次のチャプタデータを取得する。
【００７３】
データの読み出し位置がチャンクデータサイズを超えると、チャプタデータを全て取得したことになるので、制御部１は処理を終了する。
【００７４】
図１０を用いて、音声データ再生中にダイレクトリプライする処理について説明する。
【００７５】
制御部１は、操作部１１によって再生開始指示がなされたか否かを判定する（ステップＳ３０１）。再生開始の指示がなされなければ、制御部１は、ステップＳ３０１の処理を繰り返す。
【００７６】
再生開始の指示がなされると、制御部１は、音声データの再生を開始する（ステップＳ３０２）。音声データの再生に際して、制御部１は、図９の処理を実行し、再生する音声データのチャプタデータを取得しておく。
【００７７】
制御部１は、音声データの再生位置を示す再生アドレスを取得する（ステップＳ３０３）。
【００７８】
制御部１は、再生アドレスから再生中のチャプタを特定し、チャプタデータに基づいて生成した画面をディスプレイ９に表示させる（ステップＳ３０４）。再生中のチャプタは、チャプタアドレスから特定できる。再生アドレスよりも前のチャプタアドレスを持つチャプタのうち、最もチャプタアドレスの小さいチャプタが再生中のチャプタである。
【００７９】
図１１の表示画面３００では、チャプタデータに含まれる送り元中継局コールサイン（Ｒ１）、送り元（送り元コールサイン）、及び送り先（ＵＲ）が上から順に表示されている。具体的には、表示画面３００には、“Ｊ＊＊ＹＹＹＡ”（Ｒ１）、“Ｊ００１”（送り元コールサイン）、及び“ＣＱＣＱＣＱ”（ＵＲ）が表示されている。送り元にダイレクトリプライが可能な場合、アイコン３０１が送り元のコールサイン（送り元コールサイン）を示す文字列の横に表示される。アイコン３０１は、ダイレクトリプライが可能であることを示す文字、記号、又は画像である。
【００８０】
送り先（ＵＲ）にもダイレクトリプライが可能な場合、制御部１は、送り元又は送り先をアイコン３０１で選択可能な状態で表示する。操作部１１を用いてアイコン３０１を動かし、ダイレクトリプライする相手を選択できる。ＰＴＴスイッチ１０が押されると、制御部１は、アイコン３０１が選択しているコールサインに対してダイレクトリプライする。送り先にダイレクトリプライが可能な通信は、自局宛以外の通信、つまり他者間の通信である。送り先がＣＱ又は自局宛の場合は、送り先にはダイレクトリプライができず、ダイレクトリプライの相手は送り元に定まる。
【００８１】
制御部１は、操作部１１によって再生停止指示がなされたか否かを判定する（ステップＳ３０５）。再生停止の指示がなされた場合、制御部１は、音声データの再生を停止し（ステップＳ３１２）、処理を終了する。
【００８２】
再生停止の指示がなされなければ、制御部１は、ＰＴＴスイッチ１０が押されたか否かを判定する（ステップＳ３０６）。ＰＴＴスイッチ１０が押されてなければ、制御部１は、ステップＳ３０３〜Ｓ３０６の処理を繰り返す。音声データの再生中、チャプタが変わると、表示画面も新たなチャプタのチャプタデータに合わせて更新される。
【００８３】
ＰＴＴスイッチ１０が押されると、制御部１は、音声データの再生を一時停止し（ステップＳ３０７）、再生位置のチャプタデータに基づいてダイレクトリプライをする（ステップＳ３０８）。具体的には、制御部１は、チャプタデータから送り元コールサインを取得し、送り元コールサインを送信先に設定して送信信号を生成する。送受信部２は、送信信号の送信を開始する。送信先は図４の送り先コールサイン（ＵＲ）で示すところに設定される。ステップＳ３０４においてダイレクトリプライの相手として送り先（ＵＲ）が選択されていた場合、制御部１は、チャプタデータから無線部ヘッダ情報を取得し、無線部ヘッダ情報のＵＲを送信先に設定して送信信号を生成する。送受信部２は、送信の送信を開始する。中継局の設定が必要な場合、制御部１は、チャプタデータから無線部ヘッダ情報を取得し、無線部ヘッダ情報の送り元中継局コールサイン（Ｒ１）を送り先中継局コールサインに設定して送信信号を生成する。送受信部２は、送信信号の送信を開始する。
【００８４】
ダイレクトリプライを開始すると、制御部１は、ＰＴＴスイッチ１０が離されたか否かを判定する（ステップＳ３０９）。ＰＴＴスイッチ１０が離されてなければ、制御部１はダイレクトリプライを続ける。
【００８５】
ＰＴＴスイッチ１０が離されると、制御部１は、ダイレクトリプライを終了し（ステップＳ３１０）、ステップＳ３０７で停止した再生位置から音声データの再生を再開する（ステップＳ３１１）。
【００８６】
（再送ヘッダを利用してチャプタデータを生成する実施例）
次に、再送ヘッダからチャプタデータを生成する実施例について説明する。
【００８７】
Ｄ−ＳＴＡＲフレームの無線部ヘッダは、データの送信に先立って１回送信されるだけである。無線通信装置１００が無線部ヘッダを取り逃すと、データを受信して音声データを録音できたとしても、データの送り元及び経路などの管理情報を取得できず、チャプタデータを生成できない。
【００８８】
無線通信装置は、データセグメントを使用して無線部ヘッダと同じ内容の再送ヘッダを送信することができる。再送ヘッダは、無線部ヘッダのうち、フラグ１−３、ＩＤ、及びＰ＿ＦＣＳを含み、ビット同期とフレーム同期は含まず、誤り訂正符号は付与されない。再送ヘッダは、複数個のデータセグメントに分割されて送信される。再送ヘッダは、繰り返して送信してもよい。
【００８９】
無線部ヘッダを受信できなかった場合、無線通信装置１００は、再送ヘッダからチャプタデータを生成できる。しかしながら、再送ヘッダからチャプタデータを生成する場合、以下の２つの問題が存在していた。
【００９０】
第１に、再送ヘッダには誤り訂正符号が付与されないため信頼性が乏しいという問題がある。
【００９１】
そこで、本実施形態の無線通信装置１００は、同一データ内の再送ヘッダを複数回受信し、複数の再送ヘッダが一致した場合は、再送ヘッダは正しいと判定する。例えば、再送ヘッダを２〜３回受信し、受信した全ての再送ヘッダが同一である場合、再送ヘッダは正しいと判定する。
【００９２】
無線通信装置１００は、正しいと判定した再送ヘッダからチャプタデータを生成する。データの受信及び録音開始から再送ヘッダが正しいと判定できるまで時間が経過し、録音が続けられるが、データの受信及び録音を開始した位置をチャプタの示すタイミングとする。
【００９３】
第２に、Ｄ−ＳＴＡＲフレームがインターネット網を介して転送されるとき、無線部ヘッダの内容はゲートウェイによって書き換えられるが、再送ヘッダの内容は書き換えられないという問題がある。
【００９４】
図１２を用いて、ゲートウェイによってＤ−ＳＴＡＲフレームの無線部ヘッダが書き換えられるケースについて説明する。
【００９５】
図１２に示す通信環境では、複数のゾーンＺ１，Ｚ２がゲートウェイＧＷ１，ＧＷ２を介してインターネット網に接続されている。各ゾーンＺ１，Ｚ２は、１以上のレピータエリアＡ１〜Ａ４で構成されている。各レピータエリアＡ１〜Ａ４は、レピータ局によって形成される。レピータエリアＡ１，Ａ２間およびレピータエリアＡ３，Ａ４間のそれぞれはアシスト局と幹線により接続されている。端末局は、その端末局が存在するレピータエリアＡ１〜Ａ４を形成するレピータ局に接続する。図１２では端末局１００Ａ，１００Ｂのみを図示しているが、各レピータエリアＡ１〜Ａ４には複数の端末局が存在する。端末局は、直接、あるいはレピータ局を介して他の端末局と通信する。レピータ局、アシスト局、ゲートウェイ、及び端末局には、識別情報としてコールサインが付与される。
【００９６】
例えば、ゾーンＺ１，Ｚ２をまたいで、レピータエリアＡ１に属する端末局１００ＡがレピータエリアＡ４に属する端末局１００Ｂと通信する場合を考える。端末局１００Ａは、図１３Ａに示すヘッダ情報Ｈ１のように、送り先中継局のコールサインにはゾーンＺ１のゲートウェイＧＷ１のコールサイン“Ｊ￥１ＴＴＴ  Ｇ”を設定し、送り元中継局のコールサインにはレピータエリアＡ１のレピータ局のコールサイン“Ｊ￥１ＹＹＹ”を設定する。また、端末局１００Ａは、送り元コールサインには端末局１００Ｂのコールサイン“Ｊ￥１ＷＷＷ”を設定し、自局コールサインには端末局１００Ａのコールサイン“Ｊ￥１ＱＱＱ”を設定する。
【００９７】
ヘッダ情報Ｈ１を含むフレームは、レピータエリアＡ１のレピータ局で受信されて、ゲートウェイＧＷ１に転送される。ゲートウェイＧＷ１は、他のゾーンＺ２へのフレームを受信すると、インターネット網上の管理サーバに送り先の端末局１００Ｂの情報を問い合せて、ヘッダ情報Ｈ１の中継局のコールサインを書き換える。具体的には、図１３Ａのヘッダ情報Ｈ２のように、送り先中継局のコールサインを端末局１００Ｂが存在するレピータエリアＡ４のレピータ局のコールサイン“Ｊ￥１ＳＳＳ”に書き換え、送り元中継局のコールサインをゾーンＺ２のゲートウェイＧＷ２のコールサイン“Ｊ￥１ＶＶＶ  Ｇ”に書き換える。
【００９８】
ヘッダ情報Ｈ１がヘッダ情報Ｈ２に書き換えられたフレームは、インターネット網を介して、ゲートウェイＧＷ２に転送される。ゲートウェイＧＷ２は、ヘッダ情報Ｈ２に従ってフレームをレピータエリアＡ４のレピータ局に転送し、レピータ局はフレームをレピータエリアＡ４内に送信する。端末局１００Ｂは、ヘッダ情報Ｈ２を含むフレームを受信する。
【００９９】
端末局１００Ｂが呼び返す場合、受信したフレームのヘッダ情報Ｈ２に基づいて無線部ヘッダを設定する。具体的には、端末局１００Ｂは、図１３Ｂのヘッダ情報Ｈ３のように、送り先中継局のコールサインにヘッダ情報Ｈ２の送り元中継局のコールサイン“Ｊ￥１ＶＶＶ  Ｇ”を設定する。
【０１００】
ゲートウェイＧＷ２は、ヘッダ情報Ｈ３を含むフレームをゲートウェイＧＷ１に転送する際、図１３Ｂに示すように、ヘッダ情報Ｈ３の中継局のコールサインをヘッダ情報Ｈ４のように書き換える。具体的には、送り先中継局のコールサインをレピータエリアＡ１のレピータ局のコールサイン“Ｊ￥１ＹＹＹ”に書き換え、送り元中継局のコールサインをゲートウェイＧＷ１のコールサイン“Ｊ￥１ＴＴＴ  Ｇ”に書き換える。
【０１０１】
このように、ゾーンを超えて転送されるフレームは、無線部ヘッダの中継局のコールサインがゲートウェイによって書き換えられる。
【０１０２】
ところが、データセグメントを使用して送信される再送ヘッダは書き換えられずにゾーンを超えて転送される。図１２の例では、端末局１００Ｂの受信する再送ヘッダの情報は、端末局１００Ａが設定したヘッダ情報Ｈ１のままであり、端末局１００Ａの受信する再送ヘッダの情報は、端末局１００Ｂが設定したヘッダ情報Ｈ３のままである。そのため、ゾーンを超えたフレームでは、無線部ヘッダと再送ヘッダとの間に差異が発生し、再送ヘッダだけでは正常に相手を呼び出すことができないケースが発生する。
【０１０３】
そこで、本実施形態の無線通信装置１００は、無線通信装置１００自身の送信設定と再送ヘッダの内容に基づいて無線部ヘッダを推定する。具体的には、無線通信装置１００の送信設定がＤＲ（Ｄ−ＳＴＡＲ  ＲＥＰＥＡＴＥＲ）モードであって、レピータを使用する場合、再送ヘッダの送り元中継局コールサインと自身のアクセスレピータのコールサインが同じであれば、フレームはゲートウェイにより転送されていないと判定される。つまり、無線通信装置１００は、再送ヘッダの情報は無線部ヘッダと同じであると推定する。再送ヘッダの送り元中継局コールサインと自身のアクセスレピータのコールサインが異なる場合、フレームはゲートウェイにより転送されたと判定される。この場合、無線通信装置１００は、再送ヘッダの情報は無線部ヘッダと異なると判定し、再送ヘッダの送り元中継局コールサインを自身のアクセスレピータのゲートウェイコールサインに差し替え、再送ヘッダの送り先中継局コールサインを自身のアクセスレピータのコールサインに差し替えて、無線部ヘッダを生成する。
【０１０４】
無線通信装置１００は、音声データを録音し、音声データにチャプタを付加するときに、再送ヘッダから推定した無線部ヘッダを用いてチャプタデータを生成してもよい。
【０１０５】
以上説明したように、本実施形態によれば、記録媒体７は、送り元コールサインと無線部ヘッダ情報を含むチャプタデータを付与した音声データを記録しており、制御部１は、音声データの再生中にＰＴＴスイッチ１０が押されると、再生位置に対応するチャプタデータから送り元コールサインを取得し、送り元コールサインを送信先として設定し、信号を送信する。これにより、録音した音声データを再生中に、簡易な操作で音声データの送り元に対して信号を送信することができる。無線部ヘッダ情報に含まれる送り先のコールサイン（ＵＲ）が信号の送信先として設定できるときは、送り元コールサインとＵＲとを選択可能に表示し、選択されたコールサインにダイレクトリプライする。
【符号の説明】
【０１０６】
１００…無線通信装置  １…制御部  ２…送受信部  ３…ＤＳＰ  ４…アンテナ  ５…マイクロホン  ６…不揮発性メモリ  ７…記録媒体  ８…スピーカ  ９…ディスプレイ  １０…ＰＴＴスイッチ  １１…操作部  １２…ＧＮＳＳモジュール  １０１…デジタル信号検出部  １０２…チャプタ生成部  １０３…受信音声変換部  １０４…録音データ生成部  １０５…記録再生制御部  １０６…音声信号抽出部  １０７…音声出力制御部  １０８…付加情報抽出部  １０９…表示制御部  １１０…ＰＴＴ操作検出部
【図１】
2020123801.tif 000003
【図２】
2020123801.tif 000004
【図３】
2020123801.tif 000005
【図４】
2020123801.tif 000006
【図５】
2020123801.tif 000007
【図６】
2020123801.tif 000008
【図７】
2020123801.tif 000009
【図８】
2020123801.tif 000010
【図９】
2020123801.tif 000011
【図１０】
2020123801.tif 000012
【図１１】
2020123801.tif 000013
【図１２】
2020123801.tif 000014
【図１３Ａ】
2020123801.tif 000015
【図１３Ｂ】
2020123801.tif 000016